(57)【要約】【課題】裾部分を下衣のウエストベルトの外側に出して着る上衣について、どんなに激しく動いたとしても、下着や素肌が見えないようにすることができる上衣を、簡単な構造によって提供することにある。また、本発明のさらなる目的は、動き易くした上衣を提供すること。【解決手段】インナーウエア１２の裾部分をアウターウエア１１のそれ１１ａよりも長くして、これを下衣２０の上端を構成しているウエストベルト２１の中にたくし込むことができるようにし、インナーウエア１２の少なくとも肩部分を、アウターウエア１１のそれに縫着や接着等の固定手段１３によって取り付けるとともに、インナーウエア１２の胴周りについてはアウターウエア１１に対して取り付けないようにしたこと。【選択図】図１
2004277915.tif 000002
【特許請求の範囲】
【請求項１】
アウターウエアと、少なくとも一枚のインナーウエアとからなる上衣であって、
前記インナーウエアの裾部分を前記アウターウエアのそれよりも長くして、これを下衣の上端を構成しているウエストベルトの中にたくし込むことができるようにし、
前記インナーウエアの少なくとも肩部分を、前記アウターウエアのそれに縫着や接着等の固定手段によって取り付けるとともに、前記インナーウエアの胴周りについては前記アウターウエアに対して取り付けないようにしたことを特徴とする上衣。
【請求項２】
前記インナーウエアのサイズを前記アウターウエアのそれよりも小さくしたことを特徴とする請求項１に記載の上衣。
【発明の詳細な説明】
【０００１】
【発明の属する技術分野】
本発明は、上衣に関し、特に、その裾部分を下衣のウエストベルトの外側に出して着るタイプの上衣に関するものである。
【０００２】
【従来の技術】
近年の上衣の着方において、その裾部分を下衣のウエストベルトの外側に出して着ることが多くなされるようになってきている。このような着方は、上衣を着ている人の動きに応じてその裾部分が大きく揺らいだり開いたりすることになるため、着ている人が活発で健康的であるような好印象を与えるものである。以上のような長所を有しているため、裾部分を下衣のウエストベルトの外側に出して着るタイプの上衣は、所謂街着や普段着だけでなく、スポーツウエアについても使用が広がりつつある。
【０００３】
ところで、裾部分が着る人の動きに応じて揺らいだり開いたりするということは、この裾部分の内側が見えることにもなる。特に、近年の下衣であるパンツにおいては、その股上が非常に浅くなってきており、上衣の裾部分が大きく揺らいだり開いたりすると、パンツの上端を構成しているウエストベルトより上方部分から下着や素肌が見えることになる。
【０００４】
このような上衣を着て、例えばゴルフのようなスポーツをしたとすると、図１に示すように、ウエストベルトの上方に下着や素肌が露出することになるし、当然そのようになることも予想できる。このため、スポーツをする人が、上衣の裾部分を下衣のウエストベルトの外側に出して着る場合には、下着や素肌が見えることを気にして、スポーツを十分楽しむことができなくなるのである。
【０００５】
そこで、本発明者等が、裾部分を下衣のウエストベルトの外側に出して着る上衣について、下着や素肌が見えないようにすることができるようにするにはどうしたらよいか、について種々検討を重ねてきた結果、本発明を完成したのである。
【０００６】
【発明が解決しようとする課題】
本発明は、以上のような経緯に基づいてなされたもので、その解決しようとする課題は、裾部分を下衣のウエストベルトの外側に出して着る上衣についての改良である。
【０００７】
すなわち、本発明の目的とするところは、裾部分を下衣のウエストベルトの外側に出して着る上衣について、どんなに激しく動いたとしても、下着や素肌が見えないようにすることができる上衣を、簡単な構造によって提供することにある。また、本発明のさらなる目的は、動き易くした上衣を提供することである。
【０００８】
【課題を解決するための手段】
以上の課題を解決するために、まず、請求項１に係る発明の採った手段は、後述する実施の形態の説明中において使用する符号を付して説明すると、
「アウターウエア１１と、少なくとも一枚のインナーウエア１２とからなる上衣１０であって、
インナーウエア１２の裾部分１２ａをアウターウエア１１のそれ１１ａよりも長くして、これを下衣２０の上端を構成しているウエストベルト２１の中にたくし込むことができるようにし、
インナーウエア１２の少なくとも肩部分を、アウターウエア１１のそれに縫着や接着等の固定手段１３によって取り付けるとともに、インナーウエア１２の胴周りについてはアウターウエア１１に対して取り付けないようにしたことを特徴とする上衣１０」
である。
【０００９】
すなわち、この請求項１に係る上衣１０は、図１〜図４に示すように、アウターウエア１１と、少なくとも一枚のインナーウエア１２とからなるものである。この上衣１０を構成しているアウターウエア１１としては、ポロシャツやセーター等、一般的に上衣として使用されているものであれば、何であってもよい。これに対して、インナーウエア１２は、上記アウターウエア１１の文字通り下になるものであって素肌に直接触れることにもなるものであるから、Ｔシャツのように吸湿性に優れた素材を使用したものであるとよい。勿論、この上衣１０を構成しているインナーウエア１２は、少なくとも一枚あればよいが、二枚あるいは三枚重なっていてもよいものである。
【００１０】
また、インナーウエア１２の裾部分１２ａは、図２に示すように、アウターウエア１１の裾部分１１ａよりも伸ばし丈Ｌ分長くしたものである。これにより、インナーウエア１２の裾部分１２ａは、下衣２０の上端を構成しているウエストベルト２１の中にたくし込むことができるのであり、図１にも示すように、アウターウエア１１の裾部分１１ａを下衣２０のウエストベルト２１の外側に出して着ることができるのである。
【００１１】
そして、この上衣１０は、アウターウエア１１とインナーウエア１２とが一体化されていなければならないが、その一体化部分としては、インナーウエア１２の少なくとも肩部分である。この場合の固定手段１３としては、縫着によるのが最も一般的であるが、近年では布と布とを簡単に接着する接着剤が発達しているので、接着であってもよい。勿論、この固定手段１３としてはジッパーであってもよく、その場合には、例えば１つのアウターウエア１１に対して複数のインナーウエア１２を「取付回し」することができ、逆も行うことができる。
【００１２】
さらに、この上衣１０においては、図２に示すように、アウターウエア１１とインナーウエア１２との固定手段１３による取付部分が少なくとも「肩部分」である必要があるが、その理由は、インナーウエア１２を身体にピッタリと密着させながらアウターウエア１１の揺れや広がりを自由にするためには、人の身体の中で一番寸法変化がない「肩部分」にするのが最も適しているからである。
【００１３】
アウターウエア１１に対してインナーウエア１２が「肩部分」で取り付けられていれば、図３の左側に示した固定手段１３のように、袖の繋ぎ部分の上半分、あるいは図３の右側に示した固定手段１３のように、袖の繋ぎ部分の下半分の取付をさらに付加することによって、この上衣１０の着心地をより良好にすることができるのである。また、アウターウエア１１に対してインナーウエア１２が「肩部分」で取り付けられていれば、図４に示した固定手段１３のように、アウターウエア１１の襟の内側部分に固定手段１３をもってくることによっても、上衣１０の着心地をより良好にすることができる。
【００１４】
ところで、「肩部分」とは、図２〜図４に示すような、文字通り肩の上になる部分をいうことは勿論であるが、この「肩の上」に限るものではない。例えば近年の「ヨーク」と呼ばれている上衣においては、前見頃と後見頃との間に別布を配置して、図５に示すように、肩より少し下側の前後において接合することがなされているが、この場合の前後に現れる接合部分に該当する部分をも「肩部分」として含むものである。
【００１５】
そして、この上衣１０では、そのインナーウエア１２の胴周りについてはアウターウエア１１に対して取り付けないようにしてあることが必要である。何故なら、アウターウエア１１はあくまでも図１に示すような状態で揺れたり広がったりさせるためのものでもあり、一方インナーウエア１２は素肌に密着しながら身体にピッタリとさせたものであって、特に胴周りにおいて両者の取り付けを行ってしまえば、着心地を良好にすることができないからである。
【００１６】
以上の上衣１０は、図１に示すように、インナーウエア１２の裾部分１２ａを下衣２０のウエストベルト２１の内側にたくし込み、かつアウターウエア１１の裾部分１１ａをウエストベルト２１の外側に出して着用するのである。これにより、アウターウエア１１の裾部分１１ａが、図１に示すように、下衣２０の外側で自由に揺れたり広がったりするので、まず、着用者が若くて健康的である印象を与えることができるものとなっている。そして、アウターウエア１１が揺れたり広がったりしたとしても、図１に示すように、アウターウエア１１の下からはインナーウエア１２が見えることになるのであるから、ウエストベルト２１の上方から下着や素肌が見えることはなく、安心してスポーツ等に専念することができるのである。
【００１７】
従って、この請求項１に係る上衣１０は、アウターウエア１１の裾部分１１ａを下衣２０のウエストベルト２１の外側に出して着る場合に、どんなに激しく動いたとしても、下着や素肌がインナーウエア１２によって見えないようにできるものとなっているのである。
【００１８】
上記課題を解決するために、請求項２に係る発明の採った手段は、上記の請求項１に記載の上衣１０について、
「インナーウエア１２のサイズをアウターウエア１１のそれよりも小さくしたこと」
である。
【００１９】
すなわち、この請求項２の上衣１０は、インナーウエア１２のサイズをアウターウエア１１のそれよりも小さくしたものであり、これにより、着心地をより一層良好にしたものである。
【００２０】
つまり、アウターウエア１１はあくまでも揺れたり広がったりさせるためのものであり、一方インナーウエア１２は素肌に密着しながら身体にピッタリとさせるものであるため、図１中の仮想線で示したアウターウエア１１と、同実線で示したインナーウエア１２との間に「ゆとり」があるとよいから、上記のように構成したのである。
【００２１】
従って、この請求項２の上衣１０は、上記請求項１のそれと同様な機能を発揮する他、アウターウエア１１は自由に揺れたり広がったりするのに対して、インナーウエア１２を身体にピッタリと密着させることができるため、動き易いものとなっているのである。
【００２２】
【発明の実施の形態】
次に、上記のように構成した各請求項に係る発明を、図面に示した実施の形態である上衣１０について説明すると、図１には、この上衣１０を着用した人が大きく動いた状態が示してある。つまり、この状態では、上衣１０を構成しているアウターウエア１１の裾部分１１ａが大きく揺れながら広がっているのであるが、このアウターウエア１１の内側にあるインナーウエア１２は、その裾部分１２ａが下衣２０のウエストベルト２１の内側にたくし込まれているため、身体にピッタリと密着した状態となって、ウエストベルト２１の上方部分の素肌を完全に隠しているのである。
【００２３】
この上衣１０は、例えば図２に示したように、図中の実線で示したインナーウエア１２の上端部を、図中の仮想線で示したアウターウエア１１の肩部分に、縫着等の固定手段１３によって取り付けたものである。アウターウエア１１は、一般的なポロシャツやセーター等、何であってもよく、インナーウエア１２については「下着」の役割を果たすものであるとなおよい。
【００２４】
本実施形態の上衣１０では、インナーウエア１２を一枚使用しているが、このインナーウエア１２は二枚以上あってもよいものである。また、図２に示したインナーウエア１２は、所謂「ノースリーブタイプ」のものであるが、図２の右側部分の仮想線で示したように、アウターウエア１１の袖部分１１ｂ内に完全に入ってしまうような大きさの袖部分１２ｂを取り付けたものを採用して実施してもよいものである。
【００２５】
このインナーウエア１２の裾部分１２ａは、図２に示したように、アウターウエア１１の裾部分１１ａより長くしたものであり、その伸ばし丈Ｌは、本実施形態の場合、約３ｃｍ程度のものである。つまり、このインナーウエア１２の裾部分１２ａは、図１にも示したように、下衣２０のウエストベルト２１内にたくし込まれるものであるから、伸ばし丈Ｌとしてはこの「たくし込み」が行える程度であれば十分である。
【００２６】
この上衣１０は、図２に示したように、インナーウエア１２の上端部をアウターウエア１１の肩部分に固定手段１３によって取り付けたものであったが、この固定手段１３としては、縫着、接着、あるいはジッパーを使用する等、種々な手段が適用できる。本実施形態では、この固定手段１３は、最も一般的な「縫着」によっている。
【００２７】
また、この固定手段１３の用いる場所としては、最低限「肩部分」である必要があるが、その他に、図３の左側に示した固定手段１３のように、袖の繋ぎ部分の上半分、あるいは図３の右側に示した固定手段１３のように、袖の繋ぎ部分の下半分の取付をさらに付加して実施してもよい。さらに、図４に示した固定手段１３のように、アウターウエア１１の襟の内側部分に固定手段１３を形成してもよい。
【００２８】
以上のように、固定手段１３の形成個所を付加することによって、この上衣１０の着心地をより良好にすることができだけでなく、耐洗濯性に優れたものとすることができるのである。
【００２９】
ところで、図５には、「ヨーク」と呼ばれるタイプの上衣１０が示してるが、この上衣１０では、前見頃と後見頃との間に別布を配置して、肩より少し下側の前後において接合するようにしたものである。このヨーク形上衣１０では、「肩部分」とは、図２〜図４に示すような、文字通り肩の上になる部分をいうのではなく、前見頃と後見頃との間に別布を配置して、図５に示すように、肩より少し下側の前後において接合した部分に該当する部分をいうものである。
【００３０】
【発明の効果】
以上、詳述した通り、本発明においては、上記実施形態で例示した如く、
すなわち、本発明の目的とするところは、裾部分を下衣のウエストベルトの外側に出して着る上衣について、どんなに激しく動いたとしても、下着や素肌が見えないようにすることができる上衣を、簡単な構造によって提供することにある。また、本発明のさらなる目的は、動き易くした上衣を提供することである。
【００３１】
【課題を解決するための手段】
以上の課題を解決するために、まず、請求項１に係る発明の採った手段は、後述する実施の形態の説明中において使用する符号を付して説明すると、
「アウターウエア１１と、少なくとも一枚のインナーウエア１２とからなる上衣１０であって、
インナーウエア１２の裾部分１２ａをアウターウエア１１のそれ１１ａよりも長くして、これを下衣２０の上端を構成しているウエストベルト２１の中にたくし込むことができるようにし、
インナーウエア１２の少なくとも肩部分を、アウターウエア１１のそれに縫着や接着等の固定手段１３によって取り付けるとともに、インナーウエア１２の胴周りについてはアウターウエア１１に対して取り付けないようにした」
ことにその主たる特徴があり、これにより、インナーウエア１２の裾部分１２ａを下衣のウエストベルト２１の外側に出して着る上衣１０について、どんなに激しく動いたとしても、下着や素肌が見えないようにすることができる上衣１０を、簡単な構造によって提供することができるのである。
【図面の簡単な説明】
【図１】本発明に係る上衣を着用した人が大きく動いた状態を示す背面図である。
【図２】同上衣の正面図である。
【図３】同上衣の他の実施例を示す正面図である。
【図４】同上衣の別の実施例を示す正面図である。
【図５】同上衣のさらに別の実施例を示す正面図である。
【符号の説明】
１０    上衣
１１    アウターウエア
１１ａ  裾部分
１１ｂ  袖部分
１２    インナーウエア
１２ａ  裾部分
１２ｂ  袖部分
１３    固定手段
２０    下衣
２１    ウエストベルト
Ｌ    伸ばし丈
【図１】
2004277915.tif 000003
【図２】
2004277915.tif 000004
【図３】
2004277915.tif 000005
【図４】
2004277915.tif 000006
【図５】
2004277915.tif 000007